(57)【要約】      （修正有）【課題】普通のカッターシャツのまま、ネクタイを外しても襟元に自然な開きと締りが維持され、通年着られる、見た目普通の長袖および半袖のカッターシャツを提供する。【解決手段】面ファスナーを襟の内側３に取り付け、これが接合することで襟の乱れを防ぐ。面ファスナーは襟の先端でなく、決して見えない襟の奥に付ける。ネクタイ着用時はネクタイが間に挟まるため機能しないが、ネクタイを外した時接合機能が働き、襟の自立が自動的に維持される。【選択図】図２
0003232025.tif 000002
【実用新案登録請求の範囲】
【請求項１】
襟にボタン、ボタンホール、スナップ等襟を固定する造作のない長袖、および半袖のカッターシャツにおいて、折り返した襟の内側の、面てからは見えない位置の両面に、対で構成する面ファスナーを備え、当該面ファスナーが接合したとき、襟が密着して自立した状態となる特徴を有する長袖、および半袖のカッターシャツ。
【請求項２】
請求項１の、取り付けられた面ファスナーは、ネクタイ等を着用する時は、あいだにネクタイ等が挟まるため機能しないが、ネクタイ等を着用しない時、接合する前項１の特徴を有する請求項１に記載のカッターシャツ。
【請求項３】
請求項１の面ファスナーは、襟の先端ではなく折り畳まれた襟の奥に取り付けられるため、襟の先端が固定されない。これによりネクタイ着用時はネクタイによって、非着用時も、ボタンやスナップ等特段の造作がないように見えながら密着自立し、襟先が固縛されない自然の風合いを保ち得る前項１の特徴を有する請求項１に記載のカッターシャツ。
【請求項４】
請求項１〜３の特徴を有するカッターシャツは、クールビズの季節にネクタイ等を外しても襟がしっかり下方に“ダウン”する機能を備えることから、『クールダウンシャツ』と称する。
【考案の詳細な説明】
【技術分野】
【０００１】  本考案は、カッターシャツの襟の内側の、面てからは見えない場所に面ファスナーを取り付け、クールビズ等でネクタイ等を外した時にこれが接合して襟が密着し、襟元が広がり過ぎたり浮き上ったりするのを防ぎ、ネクタイを着用しない時の襟の形状をスマートに維持することを企図した、カッターシャツの襟に関するものである。
【背景技術】
【０００２】  従来、カッターシャツの襟の先端が広がったり浮き上がったりするのを防ぐためとして、両方の襟の先端に当たる場所にボタンホールを設けてボタンで止める方式（既に商品名「ボタンダウン」あり）や、これをスナップに変えたもの（特開２０１５−３０９６１）、襟先端の三角部分にマジックテープを用いて（特開平８−３２５８０１）固定するアイデアがある。
【先行技術文献】
【特許文献】
【０００３】
【特許文献１】特開２０１５−０３０９６１
【特許文献２】特開平８−３２５８０１
【考案の概要】
【考案が解決しようとする課題】
【０００４】  スーツを基本とする多くの勤め人等にとり、主にクールビズの季節は、上着を脱ぎ、ネクタイを外し、カッターシャツ最上のボタンを外すのが一般的スタイルとして定着、習慣化しているが、この時、ボタン等により襟が固定されないカッターシャツは、ネクタイを外し、ボタンを外すことで開襟となるものの、カッターシャツの生地の解放、復元力により、襟元が大きく広がり過ぎたり、襟自体が浮き上がるなどし、その外見、印象が乱れ、時と場合に相応しくないと気遣われることがままあった。
そのため、クールビスのために、ボタン等で襟が固定できるシャツを別途買い求めたりするが、せっかく新調しても、こうしたボタン等は逆に、ネクタイ着用時は必ずしも必要でないばかりか、脱着が面倒であったり、日常の洗濯やアイロンかけ時等の面倒など不合理な面があったうえ、そもそもエコのためのクールビズなのに、新たな物資の消費がエコに反する、との疑問視も一部にはあった。
また、公開済みの各提案は、ボタンによるものよりは平易、手軽で、そうした材料、造作が多少見え難い点は改善であるが、決して見えないとは言い難く、少なくとも“固定している”ことが見える点と、強制的に固縛されることで襟の先端が常時完全にすぼまり、自然な風合いが損なわれる点、さらにネクタイの着用時・非着用時にかかわらず、これほどのすぼまりは必要ないと考える者には不要、と感ぜられる点などに問題があった。
【課題を解決するための手段】
【０００５】  上記の課題を解決するため、面ファスナーを用い、襟の折り返しの左右の端近くの内側、即ちネクタイが収まるエリアの、面てからは見えない位置（図−１・２参照）に、一組ずつ、向かい合わせに配置、ネクタイがない時に限り、互いに接合するよう取り付ける。
この面ファスナーは、既存の商品名で「マジックテープ」と呼ばれるもので、フック状の突起群からなる所謂オス側と、これを受けるループ状のメス側とが別々のもの、またはオス、メス別のない混成タイプのいずれを使用してもよい。
その形状と取り付け位置については、後項「発明を実施するための形態」に記述。
【考案の効果】
【０００６】  本発明が施されたカッターシャツを着用すれば、ネクタイを外し、カッターシャツの最上ボタンを外しても、襟を固定する措置が特段なされていないように見えながら、またなんの意識も処置も要せず、そのまま同じカッターシャツを使いながら、襟元が広がり過ぎたり浮き上がったり、乱れた印象になるのを防ぎ、しかも自然な襟元のスタイルが維持できる。
夏季に使う半袖シャツなどは特に、“開襟シャツ”の名のとおり、襟はある程度自然な形に開くのが季節感からも望ましく、ゆえにボタン等がなく、強制的に固縛しない方が涼しげで印象がよい。
さらに、日常、ボタンやスナップの脱着等の煩わしさからも解放される。
以上のとおり、面ファスナーの小片を襟の内側に組み込んでおくという、たったそれだけの機能付加で、夏季、対人儀礼上の非礼を気にする必要もなく、同じカッターシャツを通年、さりげなく使用し続けることが可能となるのである。よって経済的でもある。
【図面の簡単な説明】
【０００７】
【図１】面ファスナーの取り付け位置図（正面から表面を見ての図）  面ファスナーは生地の裏側となり実際には見えない（破線表示）
【図２】面ファスナーの取り付け位置図（襟の折り返しを開いた図）
【考案を実施するための形態】
【０００８】  取り付ける面ファスナーの形状については、ネクタイ着用時にはネクタイを挟み重なるため、なるべく薄手のものがよい。オス・メス別と混成タイプのいずれでも、毛足が短く、柔らかく、かつ永続的によく接着するものがよい。
隠れた位置に取り付けることから色の種類は限定されないが、カッターシャツの生地の色に合わせた、薄めの色が望ましい。
面ファスナーのサイズは、激しい動きのあまり生じない部位であるため、さほど大きな必要はなく、一円玉程度の円形、または楕円形、ないしは方形等で、接着の能力に応じ最小の小片でよい。
取り付け位置は図に例示したあたりで、あくまでイメージである。シャツ自体のサイズによりある程度、前後、上下する。（図−１・２参照）
この位置取りにより、面ファスナーが垣間見えることすらなく、かつ襟の前端、および下端は固定されず、解放された状態が維持されるので、何らかの造作によって固定、個縛されたようには見えず、作為のない自然な襟の状態のまま襟を密着させ自立させることができる。
なお、ネクタイ着用時はネクタイの両面がこの面ファスナーに接し、ある程度の摩擦が避けられない。非露出部分とは言え、ネクタイをなるべく保護するうえで、オス・メスの別ある面ファスナーの場合は、オス側はネクタイの裏側に当たる側に取り付けるのが望ましい。
【符号の説明】
【０００９】  １．カッターシャツ
２．襟
３．面ファスナーの取り付け位置（イメージ）
４．第一ボタン
５．第一ボタンホール
６．第二ボタンとホール
【図１】
0003232025.tif 000003
【図２】
0003232025.tif 000004
【手続補正書】
【提出日】令和2年8月26日(2020.8.26)
【手続補正１】
【補正対象書類名】実用新案登録請求の範囲
【補正対象項目名】請求項３
【補正方法】変更
【補正の内容】
【請求項３】
請求項１の面ファスナーは、その取り付け位置から、ネクタイの非着用時、これが接合しても襟の先端部分は固定されないため、襟先を固縛するボタンやスナップ、または面ファスナー等特段の造作がない、ないしは見えないにもかかわらず、襟全体は密着自立しながら襟先部分は自然な広がりを適度に保つ前項１の特徴を有する請求項１に記載のカッターシャツ。
【手続補正２】
【補正対象書類名】実用新案登録請求の範囲
【補正対象項目名】請求項４
【補正方法】変更
【補正の内容】
【請求項４】
クールビズの季節にネクタイ等を外しても襟が広がり過ぎず、しっかり下方にダウンするカッターシャツとして請求項１〜３の特徴を有する『クールダウンシャツ』。
【手続補正書】
【提出日】令和2年11月4日(2020.11.4)
【手続補正１】
【補正対象書類名】実用新案登録請求の範囲
【補正対象項目名】全文
【補正方法】変更
【補正の内容】
【実用新案登録請求の範囲】
【請求項１】
襟にボタン、ボタンホール、スナップ等襟を固定する造作のない長袖、および半袖のカッターシャツにおいて、折り返した襟の内側の、面てからは見えない位置の両面に、対で構成する面ファスナーを備え、当該面ファスナーが接合したとき、襟が内側で密着し自立した状態となる特徴を有する長袖、および半袖のカッターシャツ。
【請求項２】
請求項１の、取り付けられた面ファスナーは、ネクタイ等を着用する時は、あいだにネクタイ等が挟まる位置にあるため接合せず、機能しないが、ネクタイ等を着用しない時に接合するしくみの前項１の特徴を持つ請求項１に記載のカッターシャツ。
【請求項３】
請求項１の面ファスナーは、その取り付け位置から、ネクタイの非着用時にこれが接合しても襟の先端部分は固定されないため、襟先を固縛するボタンやスナップ、または面ファスナー等特段の造作がない、ないしは見えないにもかかわらず、襟先自体は密着自立しながら、襟先部分は自然な広がりを適度に保たせる機能を有する構造の前項１〜２の特徴を持つ請求項１に記載のカッターシャツ。
【請求項４】
クールビズの季節等にネクタイを外し、かつ第一ボタンを外しても、襟が横に広がり過ぎず襟先が下方にダウンするよう、対をなして接合する面ファスナーの小片が、折り返した襟の内側の隠れた位置に付加された構造をもつ『クールダウンシャツ』として請求項１〜３の特徴を持つ記載のカッターシャツ。
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
襟にボタン、ボタンホール、スナップ等襟を固定する造作のない長袖、および半袖のカッターシャツにおいて、折り返した襟の内側の、面てからは見えない位置の両面に、対で構成する面ファスナーを備え、当該面ファスナーが接合したとき、襟が内側で密着し自立した状態となる特徴を有する長袖、および半袖のカッターシャツ。
【請求項２】
取り付けられた前記面ファスナーは、ネクタイ等を着用する時は、あいだにネクタイ等が挟まる位置にあるため接合せず、機能しないが、ネクタイ等を着用しない時に接合するしくみの請求項１に記載のカッターシャツ。
【請求項３】
前記面ファスナーは、その取り付け位置から、ネクタイの非着用時にこれが接合しても襟の先端部分は固定されないため、襟先を固縛するボタンやスナップ、または面ファスナー等特段の造作がない、ないしは見えないにもかかわらず、襟先自体は密着自立しながら、襟先部分は自然な広がりを適度に保たせる機能を有する構造の請求項１〜２のいずれかに記載のカッターシャツ。
【請求項４】
クールビズの季節等にネクタイを外し、かつ第一ボタンを外しても、襟が横に広がり過ぎず襟先が下方にダウンするよう、対をなして接合する面ファスナーの小片が、折り返した襟の内側の隠れた位置に付加された構造をもつ請求項１〜３のいずれかに記載のカッターシャツ。